(57)【要約】【課題】従来のビデオカメラでは、記録媒体を交換する時は、記録停止にしなければならなかった。このため、ユーザが撮影を続けたいシーンであっても、記録媒体の残容量が無くなった場合には、記録媒体を交換するために記録を停止しなければならなく、使い勝手が良くなかった。【解決手段】本発明は、上述のように記録媒体交換に要する時間分の記録に必要十分な容量を持つメモリを装備することで、ユーザが記録媒体を交換する間このメモリへ記録した情報を格納し、記録媒体が装填された際に保存した情報を書き出すことで、記録を継続したまま記録媒体の交換を可能とする。【選択図】  図１
2004192747.tif 000002
【特許請求の範囲】
【請求項１】
交換可能な情報記録媒体に情報を記録する情報記録装置において、
前記情報を記憶するメモリと、
前記情報を前記情報記録媒体に記録する記録手段と、
前記情報記録装置を制御する制御手段と、を備え、
前記制御手段からの制御に基づき、前記記録媒体に情報を記録できない状況では、その情報を前記メモリに記憶することを特徴とする情報記録装置。
【請求項２】
請求項１に記載の情報記録装置において、
前記記録媒体を交換している間の情報を前記メモリに記憶することを特徴とする情報記録装置。
【請求項３】
請求項２に記載の情報記録装置において、
前記記録媒体の記録容量が少なくなった場合に、前記記録媒体の交換を促す旨の情報を表示手段に表示させることを特徴とする情報記録装置。
【請求項４】
請求項２又は３に記載の情報記録装置において、
前記制御手段は、前記メモリへ情報を記録できる時間に関する情報を表示手段に表示させることを特徴とする情報記録装置。
【請求項５】
請求項１〜４のいずれか１項に記載の情報記録装置において、
記録媒体に情報を記録できる状況に復帰した時に、前記メモリに記憶されている情報を前記記録媒体へ記録することを特徴と有する情報記録装置。
【発明の詳細な説明】
【０００１】
【発明の属する技術分野】
記録媒体に情報を記録する情報記録技術に関する。
【０００２】
【従来の技術】
従来より、ビデオカメラは、記録制御用として、メモリを搭載している。その多くは、制御プログラムのワーク用として、あるいは、記録性能確保のため、ドライブの温度上昇を抑えるためや、省電力化のためのバッファ用途としてメモリを活用している。
【０００３】
【発明が解決しようとする課題】
従来のビデオカメラでは、交換可能な記録媒体を交換する際、撮影した映像の情報の記録を一旦停止した上で記録媒体を交換しなければならなかった。従って、交換可能な記録媒体を交換している期間の映像を、交換可能な記録媒体に記録することができなかった。従って、撮影したい映像が記録媒体を交換している間に現れた場合には、ユーザはその映像の撮影をあきらめざるを得なかった。
【０００４】
記録媒体を交換している間の映像を撮影できるビデオカメラは存在しないため、ビデオカメラとは、記録媒体を交換している間には、撮影した映像の情報の記録を行うことができないものであると広く一般に認識されている。そして、このような不便さを解消しようとする考え方は今までなかった。
【０００５】
本発明の目的は、記録中に交換可能な記録媒体の容量が不足し、その記録媒体の交換のために要する時間であっても、撮影したい映像等を交換可能な記録媒体に記録できるようにすることにある。
【０００６】
【課題を解決するための手段】
前記目的を達成するため、本発明は、メモリを使用し、記録媒体を交換している間に撮影している映像の情報をメモリに記憶しておき、記録媒体の交換が完了したら、メモリに記憶されている情報を記録媒体に記録するものである。
【０００７】
【発明の実施の形態】
以下、本発明の実施形態を説明する。
【０００８】
先ず、図１は本発明を適用した一実施形態であるビデオカメラの構成図である。
【０００９】
図１において、制御部１００は、CPUであり、記録の開始や終了のタイミングを制御し、また記録媒体の判別の確認や電源、表示装置の状態を監視する。映像圧縮部１０２は、撮像装置（図示せず）で撮像され、A/D変換されて映像入力端子１０１から出力されるデジタル映像信号を圧縮する。圧縮方式について特に限定はないが、本実施形態では、MPEG (Moving Picture Expert Group)方式で圧縮するものとする。音声圧縮部１０４は、集音装置（図示せず）で集音し、A/D変換されて音声入力端子１０３から出力されるデジタル音声信号を圧縮する。多重部１０５は、映像圧縮部１０２と音声圧縮部１０４から出力されるデータをMPEG等の規格に準拠したシステムストリームに多重する。ドライバ部１０６は、多重部１０５が生成したシステムストリームを、記録媒体１１０を判別した後に、その記録媒体に対して書込みと読出しを行う。記録媒体１１０は、ビデオカメラから交換可能な記録媒体であり、例えば情報の書き換えが可能なDVD−RAMディスク、情報を１回だけ記録できるDVD-Rディスクやメモリーカードの類である。表示部１０８には、撮影している映像や記録媒体１１０に記録されているシステムストリームに対応する映像が表示される。
【００１０】
なお、映像圧縮部１０２、音声圧縮部１０４、多重部１０５は、回路で構成されたハードウエアであってもよいし、制御部１００に記憶されたプログラムを実行することにより処理するソフトウエアであってもよい。
【００１１】
メモリ部１０７は、記録情報を格納するためのバッファとして使用される。電源部１０９は、ビデオカメラを駆動する為の電池(充電電池、乾電池等)や商用交流電源(以下、ＡＣ電源と称する)である。
【００１２】
まず記録方法について説明する。ここで、以下に説明する記録動作は、全て制御部１００による制御に基づいて行われるものとして説明する。ユーザーが操作部（図示せず）により撮影開始を指示すると、制御部１００は、ドライバ部１０６を制御して記録媒体１１０の種類を判別する。その後必要に応じた各ブロックの初期化等を行い記録の準備をはじめる。なお、記録媒体の判別は記録媒体がこのシステムに挿入された時に行っても良い。
【００１３】
準備完了後、映像圧縮部１０２は、撮像装置により輝度と色の信号処理が施された映像のデジタルデータを映像入力端子１０１から入力し、MPEGの規格に準拠した圧縮をして圧縮映像データを出力する。なお、データ圧縮処理の際に必要なバッファを映像圧縮部１０２の前後に設置しても良い。また、音声圧縮部１０４は、音声入力端子１０３から入力されるデジタル音声信号をMPEG規格、もしくはドルビーデジタル（AC3）規格に準拠した音声圧縮を行う。なお、データ圧縮処理の際に必要なバッファを音声圧縮部１０４の前後に設置しても良い。また、リニアPCM方式で音声を記録する場合、圧縮は行わない。
【００１４】
多重部１０５では、映像圧縮部１０２と音声圧縮部１０４で生成された映像圧縮データと音声圧縮データからMPEGの規格に準拠したシステムストリームを生成し、また指定したフォーマットに合わせたパケット化も行う。この際、多重部の前後にバッファを介する事が多い。多重部１０５で生成されたシステムストリームは図１には図示していないバッファ等を介して記録媒体１１０に記録される。
【００１５】
この後、ユーザが操作部により撮影終了の指示を行うと、制御部１００は、映像圧縮部１０２、音声圧縮部１０４、多重部１０５といったビデオカメラを構成する各ブロックに動作終了の命令を行う。なお、図１には表示していないA/D変換器等も停止させる。
【００１６】
また、撮影中、すなわち記録媒体１１０へのシステムストリームの記録中にユーザが操作部により記録媒体１１０の交換指示を行うと、制御部１００によってシステムストリームの転送先がドライブ部１０６からメモリ部１０７に切り替えられる。その間、メモリ部１０７の容量と、記録情報量から計算される記録可能な時間を表示部１０８にて表示する。その後、制御部１００がドライバ部１０６に記録媒体１１０が装填されたことを検知すると、メモリ部１０７の情報を記録媒体１１０へ記録する。
【００１７】
一般的に、記録媒体１１０へ情報を書き込む速度は、上述で記録情報として生成される速度より速いので、この速度差を利用しメモリをバッファとして使用することで、実現できる。必要なメモリ量は、以下の計算式で算出可能である。
【００１８】
MemSize = Bitrate * ExchangeTime  ...（式Ａ）
ここで、各パラメータは以下のように定義される。
MemSize：必要なバッファサイズを示す。
Bitrate：一定時間あたりの上述の記録情報生成量を示す。
Exchange Time：ユーザが記録媒体交換に要する時間を示す。
よって、メモリ部１０７の容量は、既存のシステムで要求される容量に、前記で算出される容量を加算したものとなる。
【００１９】
図２は、表示部１０８に表示される記録媒体交換時の表示内容を示している。
【００２０】
２００は、通常の記録中の画面を示している。記録モードを示すアイコンと、識別子や、記録中を示すテキスト、現在の日時を示すテキストからなる。なお、これらのアイコン、識別子やテキストのデータは、制御部１００が記憶している。
【００２１】
２０１は、記録媒体交換時の画面を示す。記録モードを示すアイコンの他、メモリへ記録している旨を示す、予備記録中のテキスト、メモリの残容量(記録媒体装填までの猶予時間)を示すテキストからなる。なお、これらのアイコン、識別子やテキストのデータは、制御部１００が記憶している。
【００２２】
記録媒体装填後、２００の状態へ戻る。記録媒体交換が済む前に全メモリを使用した場合は、記録を停止し、ユーザへのメッセージ表示を行っても良い。
【００２３】
図３は、記録媒体交換時のフローを示した図である。なお、以下に説明する各ステップは制御部１００の制御に基づいて行われる。
制御部１００が、ユーザの記録媒体取り出し指示を受け取ると、ステップ３０１にて記録中か否か判別する。もし記録中でなければ、通常の記録媒体取り出し状態となる。記録中であれば、ステップ３０２にて記録媒体装填完了か否か判別する。もし完了していない場合、ステップ３０３にてメモリ部１０７へのシステムストリームのバッファリングを行う。続いて、ステップ３０４にて以下の式にて導き出される、メモリへの記録可能な残り時間を表示部１０８に表示させる。
【００２４】
RemainTime = (FreeBufSize - Bitrate * ExchangeTime) / Bitrate  ...  （式Ｂ）
RemainTime：予備記録可能な残り時間を示す。
FreeBufSize：バッファとして使用可能なメモリの容量を示す。
その他は、式Ａと同様の定義である。
【００２５】
ステップ３０２にて、記録媒体装填が完了したと判別した場合、ステップ３０５にて通常の記録中の画面表示に更新し、ステップ３０６にてメモリ部１０７に格納されていたシステムストリームを記録媒体へ書き込む。この際も、記録媒体交換中の状態と同様メモリへのバッファは引き続き行われている。
【００２６】
バッファリング開始後に記録停止された場合、３０１にて記録停止となり、３０２にて記録媒体装填完了を待って処理される。
【００２７】
次に、図１に示すシステムにおいて、図４は記録媒体残容量不足時の表示内容を示している。
【００２８】
４００は、通常の記録中の画面を示している。記録モードを示すアイコンと、識別子や、記録中を示すテキスト、現在の日時を示すテキストからなる。
【００２９】
４０１は、記録媒体の残容量不足時の画面を示す。記録モードを示すアイコンの他、メモリへ記録している旨を示す、予備記録中のテキスト、メモリの残容量(記録媒体装填までの猶予時間)を示すテキストからなる。また、４０２のように記録媒体の残容量が不足しているので交換を促すメッセージ表示をした方が使い勝手が良い。
【００３０】
４０３は、記録媒体の残容量がなくなった場合の画面を示す。記録モードを示すアイコンの他、記録停止している旨を示すテキスト、メモリの残容量(記録媒体装填までの猶予時間)を示すテキストからなる。また、４０４のように記録媒体の残容量がなくなった旨を示すメッセージ表示をした方が使い勝手が良い。
【００３１】
なお、記録中や、予備記録中の記録媒体の交換時は、図２と同様の表示となる。また、アイコン、識別子やテキストのデータは、制御部１００が記憶している。
【００３２】
図５は、記録中の記録媒体残容量不足時のフローを示した図である。
ステップ５０１にて、制御部１００は、記録を継続中か否か判別する。もし記録中でなければ、ステップ５０６に進み、記録停止のための表示更新し、記録停止する。記録中であれば、ステップ５０２にて制御部１００は、記録媒体１１０の残容量が不足していないか判別する。（記録媒体が抜かれている場合は残容量＝０と等価）もし不足している場合、ステップ５０３にて、撮影している映像のデータをメモリ部１０７へバッファリングする。続いて、ステップ５０４にて式Ｂにて導き出される、メモリ部１０７への記録可能な残り時間を表示する。
【００３３】
ステップ５０２にて、記録媒体残容量が不足していない場合、ステップ５０５にて通常の記録中の画面表示に更新し、ステップ５０６にて、制御部１００は、ドライバ部１０６、メモリ部１０７を制御して、メモリ部１０７に格納されていた情報を記録媒体１１０へ書き込む。この際も、記録媒体交換中の状態と同様メモリ部１０７へのバッファは引き続き行われている。
【００３４】
バッファリング開始後、記録停止された場合は、記録容量の十分ある記憶媒体が装填された際に、図３のＡ相当の処理がされる。
【００３５】
本実施形態では、記録装置として通常の記録媒体と必要十分なメモリを備えたビデオカメラを例に挙げて説明したが、交換可能な記録媒体を用いた記録装置であれば本発明を適用可能であることは明らかである。
【００３６】
【発明の効果】
本発明によれば、記録を続けながら記録媒体を交換することが出来るので、撮影したいシーンを取りこぼすことなく記録することが出来るようになるものである。このため使い勝手が向上する。
【図面の簡単な説明】
【図１】図１は、本発明の実施形態であるビデオカメラのシステム図である。
【図２】図２は、本発明の実施形態であるビデオカメラの表示画面例を示す図である。
【図３】図３は、本発明の実施形態であるビデオカメラの記録媒体交換時の動作フローを示す図である。
【図４】図４は、本発明の実施形態であるビデオカメラの記録媒体残容量不足時の表示画面例を示す図である。
【図５】図５は、本発明の実施形態であるビデオカメラの記録中の記録媒体残容量不足時のフローを示した図である。
【符号の説明】
１００…制御部、１０１…映像入力端子、１０２…映像圧縮部、１０３…音声入力端子、１０４…音声圧縮部、１０５…多重部、１０６…ドライバ部、１０７…メモリ部、１０８…表示部、１０９…電源部、１１０…記録媒体。
【図１】
2004192747.tif 000003
【図２】
2004192747.tif 000004
【図３】
2004192747.tif 000005
【図４】
2004192747.tif 000006
【図５】
2004192747.tif 000007